(57)【要約】【課題】破断後も通信可能であり、意図せずに破断する虞が無いＩＣタグ付き封緘シールを提供する。【解決手段】本体容器部３と、本体容器部の開口部をねじ締め式に封止開封を可能とする蓋部１と、本体容器部と蓋部の間に形成された不連続部または曲面からなる境界部２と、を備えた容器２０に貼付して開封された事を検知可能とするＩＣタグ付き封緘シールであって、容器の蓋部に貼付する部位である蓋貼付部１１と、容器の境界部に貼付する部位である境界貼付部１２と、容器の本体部に貼付する部位である本体貼付部１３と、を備えており、蓋貼付部と本体貼付部の幅は、境界貼付部の幅より広くなっており、ＩＣタグ付き封緘シールには、蓋部を回転した時に、該封緘シールを容易に破断する事で断線検知部５が断線する破断容易線８を備えている事を特徴とするＩＣタグ付き封緘シール１０。【選択図】図１
2022000677.tif 000002
【特許請求の範囲】
【請求項１】
本体容器部と、本体容器部の開口部をねじ締め式に封止開封を可能とする蓋部と、本体容器部と蓋部の間に形成された不連続部または曲面からなる境界部と、を備えた容器に貼付して、容器が開封された事を検知可能とするＩＣタグ付き封緘シールであって、
ＩＣタグと、封緘シールとなる基材と、を備えており、
ＩＣタグは、
開封された事を検知する断線検知部と、
外部装置との無線通信を可能とするアンテナと、
少なくとも、断線検知部からの信号に基づき開封した事を検知する機能と、アンテナを介して外部装置との無線通信を行う機能と、を備えたＩＣチップと、を備えており、
基材は、容器の
蓋部に貼付される蓋貼付部と、
本体容器部に貼付される本体貼付部と、
境界部に貼付または配置される境界貼付部と、を備えており、
蓋貼付部と本体貼付部の幅は、境界貼付部の幅より広くなっている事を特徴とするＩＣタグ付き封緘シール。
【請求項２】
本体容器部と、本体容器部の開口部をねじ締め式に封止開封を可能とする蓋部と、本体容器部と蓋部の間に形成された不連続部または曲面からなる境界部と、を備えた容器に貼付して、容器が開封された事を検知可能とするＩＣタグ付き封緘シールであって、
ＩＣタグと、封緘シールとなる基材と、を備えており、
ＩＣタグは、
開封された事を検知する断線検知部と、
外部装置との無線通信を可能とするアンテナと、
少なくとも、断線検知部からの信号に基づき開封した事を検知する機能と、アンテナを介して外部装置との無線通信を行う機能と、を備えたＩＣチップと、を備えており、
基材は、容器の
蓋部に貼付される蓋貼付部と、
本体容器部に貼付される本体貼付部と、
境界部に貼付または配置される境界貼付部と、を備えており、
蓋貼付部と本体貼付部の幅は、境界貼付部の幅より広くなっており、
基材には、蓋部を回転した時に、該基材を容易に破断可能とする破断容易線が備えられている事を特徴とするＩＣタグ付き封緘シール。
【請求項３】
前記破断容易線が、切欠きと切込みの何れか一方かまたは両方である事を特徴とする請求項２に記載のＩＣタグ付き封緘シール。
【請求項４】
本体容器部と、本体容器部の開口部をねじ締め式に封止開封を可能とする蓋部と、本体容器部と蓋部の間に形成された不連続部または曲面からなる境界部と、を備えた容器の蓋部と境界部と本体容器部に跨って、請求項１〜３のいずれかに記載のＩＣタグ付き封緘シールが貼付された容器であって、
前記ＩＣタグ付き封緘シールの、前記蓋貼付部と前記境界貼付部と前記本体貼付部が、前記容器の、前記蓋部と前記境界部と前記本体容器部に、それぞれ対応して貼付または配置されている事を特徴とする容器。
【発明の詳細な説明】
【技術分野】
【０００１】
本発明は、ＩＣタグ付き封緘シールに関する。更に詳しくは、容器本体と、容器本体の開口部を封止するねじ式の蓋と、に跨って貼付するＩＣタグ付き封緘シールと、その封緘シールを貼付した容器に関する。
【背景技術】
【０００２】
近年、世界的に、例えばお酒などの物品管理、物流管理、真贋判定へのニーズが高まっている。その物品管理、物流管理、真贋判定などに使われるＩＣタグとして、リーダライタと非接触方式で通信し、リーダライタとの間で情報を伝達するＲＦＩＤタグが知られている。ＲＦＩＤタグは、無線信号を処理するためのＩＣチップと、無線信号を送受信するためのアンテナとで構成され、ＲＦＩＤタグのアンテナとリーダライタのアンテナとの間で、磁界や電波を介して、所定の情報が高周波信号として送受信される。
【０００３】
ところで、酒瓶の不正開封や、ＩＣタグの再利用を防止するために、酒瓶開封時にＩＣタグを破壊し、再使用不能とする必要がある。酒瓶開封時にＩＣタグを破壊する先行技術としては、例えば特許文献１に、アンテナを金属蓋と容器本体との両方に跨るようにして取り付け、蓋開封時にアンテナを破壊して、アンテナが壊れることで金属蓋の開封を検知するＩＣタグ付きシール及びその貼り付け方法が開示されている。蓋開封時にアンテナを破壊しやすくために、特許文献１のＩＣタグ付きシールは、アンテナのインピーダンス調整用回路を切るための脆性加工を施すように構成されている。
【０００４】
しかしながら、特許文献１のＩＣタグ付きシールによれば、酒瓶開封時にインピーダン
ス調整用回路を含めてアンテナが壊れることで蓋の開封を検知することができるが、断線
後は通信ができなくなってしまう。一方、ＩＣタグが故障した場合でも通信不能になる場
合があるので、上記通信不能は正常使用で開封したから通信できないのか、ＩＣタグの故
障により通信できないのか、を区別することができなくなってしまう。また、ＩＣタグが通信できないと、ＩＣタグに記録された情報（例えば、個体番号など）を読み込むことができないため、開封後の物品管理や真贋判定などもできなくなってしまう。
【０００５】
この様な問題点を解決する先行技術として、特許文献２には、蓋付き容器の開封時に開封を検知することができるとともに、開封後にも通信ができ、ＩＣタグに記録された情報を読み込むことができるＩＣタグ付きシールが開示されている。
【０００６】
具体的には、アンテナ部と、アンテナ部に接合され、アンテナ部を介して通信を行う機能を備えたＩＣチップと、を備えた蓋付き容器に取り付けられるＩＣタグ付きシールが開示されている。このＩＣタグ付きシールは、ループ状導体からなり、蓋付き容器の蓋と容器本体との両方に跨るように取り付けられる断線検知部を備えている。またＩＣチップは、断線検知部に接続されており、断線検知部の開閉を検出する機能を備えている。この様な構成とする事で、開封後にも通信ができ、ＩＣタグに記録された情報を読み込むことができるＩＣタグ付きシールを実現している。
【０００７】
このＩＣタグ付きシールは、容器の開封機構部（容器を開封する仕組みを備えた部分を指すが、蓋付き容器においては、蓋と容器の境界部が該当する。）に貼付することを基本としており、ラベルが確実に開封機構部に貼付されることで封緘状態を実現し、容器の開封時にラベルが破断されることで、開封を検知する。このＩＣタグ付きシールにおいては、封緘時にラベルがきちんと開封機構部に貼付されること、開封時にラベルが確実に破断することを前提としている。
【０００８】
ラベルがきちんと貼付されることが必要であるが、封緘対象となる容器の開封機構部は、必ずしも平坦な平面で構成されるとは限らず、３次元的な段差や曲面などを有する場合もあり、そのような部位に２次元的なラベルを貼付した場合には、ラベルが部分的なゆがみや浮きなどを含んで貼付される状態となる。その為、封緘するのに十分な接着面を確保できないばかりか、その歪みや浮きが原因で希望の封緘機能を達成できない虞がある。
【０００９】
また、閉封時のラベル破断を得やすくする目的で、ラベル外周部や内部に切り込みやスリット加工を付与するが、上述のように３次元的な貼付面の容器にラベルを貼付すると、ラベルの歪みや浮きが発生して、その部位にスリット構造が位置している場合、開封作業ではない通常の容器取り扱い作業時に、スリット部分に外部からの力がかかると、意図しないラベル破断が発生してしまう虞があった。
【先行技術文献】
【特許文献】
【００１０】
【特許文献１】国際公開２００６／０１６５５９号
【特許文献２】特表２０１８−５２９１１９号公報
【発明の概要】
【発明が解決しようとする課題】
【００１１】
上記の問題点を解決する為、本発明は、破断後も通信可能であり、意図せずに破断する虞が無いＩＣタグ付き封緘シールを提供する事を課題とする。
【課題を解決するための手段】
【００１２】
上記の課題を解決する手段として、本発明の請求項１に記載の発明は、本体容器部と、本体容器部の開口部をねじ締め式に封止開封を可能とする蓋部と、本体容器部と蓋部の間に形成された不連続部または曲面からなる境界部と、を備えた容器に貼付して、容器が開封された事を検知可能とするＩＣタグ付き封緘シールであって、
ＩＣタグと、封緘シールとなる基材と、を備えており、
ＩＣタグは、
開封された事を検知する断線検知部と、
外部装置との無線通信を可能とするアンテナと、
少なくとも、断線検知部からの信号に基づき開封した事を検知する機能と、アンテナを介して外部装置との無線通信を行う機能と、を備えたＩＣチップと、を備えており、
基材は、容器の
蓋部に貼付される蓋貼付部と、
本体容器部に貼付される本体貼付部と、
境界部に貼付または配置される境界貼付部と、を備えており、
蓋貼付部と本体貼付部の幅は、境界貼付部の幅より広くなっている事を特徴とするＩＣタグ付き封緘シールである。
【００１３】
また、請求項２に記載の発明は、本体容器部と、本体容器部の開口部をねじ締め式に封止開封を可能とする蓋部と、本体容器部と蓋部の間に形成された不連続部または曲面からなる境界部と、を備えた容器に貼付して、容器が開封された事を検知可能とするＩＣタグ付き封緘シールであって、
ＩＣタグと、封緘シールとなる基材と、を備えており、
ＩＣタグは、
開封された事を検知する断線検知部と、
外部装置との無線通信を可能とするアンテナと、
少なくとも、断線検知部からの信号に基づき開封した事を検知する機能と、アンテナを介して外部装置との無線通信を行う機能と、を備えたＩＣチップと、を備えており、
基材は、容器の
蓋部に貼付される蓋貼付部と、
本体容器部に貼付される本体貼付部と、
境界部に貼付または配置される境界貼付部と、を備えており、
蓋貼付部と本体貼付部の幅は、境界貼付部の幅より広くなっており、
基材には、蓋部を回転した時に、該基材を容易に破断可能とする破断容易線が備えられている事を特徴とするＩＣタグ付き封緘シールである。
【００１４】
また、請求項３に記載の発明は、前記破断容易線が、切欠きと切込みの何れか一方かまたは両方である事を特徴とする請求項２に記載のＩＣタグ付き封緘シールである。
【００１５】
また、請求項４に記載の発明は、本体容器部と、本体容器部の開口部をねじ締め式に封止開封を可能とする蓋部と、本体容器部と蓋部の間に形成された不連続部または曲面からなる境界部と、を備えた容器の蓋部と境界部と本体容器部に跨って、請求項１または２に記載のＩＣタグ付き封緘シールが貼付された容器であって、
前記ＩＣタグ付き封緘シールの、前記蓋貼付部と前記境界貼付部と前記本体貼付部が、前記容器の、前記蓋部と前記境界部と前記本体容器部に、それぞれ対応して貼付または配置されている事を特徴とする容器である。
【発明の効果】
【００１６】
本発明のＩＣタグ付き封緘シールによれば、封緘シールとなる基材上にＩＣタグが備えられている。ＩＣタグは、配線が断線した事を検知する断線検知部と、ＩＣタグが外部装置と無線通信する事を可能とするアンテナと、ＩＣチップを備えている。ＩＣチップは、断線検知部の状態に基づいて断線検知部が断線しているかどうかを判定する機能と、アンテナを介して外部装置と無線通信を行う機能と、を備えている。
また、本発明のＩＣタグ付き封緘シールは、本体容器部と、本体容器部の開口部をねじ締め式に封止開封を可能とする蓋部と、本体容器部と蓋部の間に形成された不連続部または曲面からなる境界部と、を備えた容器の各部に対応して貼り付けて使用する、本体貼付部と、蓋貼付部と、境界貼付部と、を備えている。そして、本発明のＩＣタグ付き封緘シールの、本体貼付部と蓋貼付部の幅は、境界貼付部の幅より広くなっている。
その為、本発明のＩＣタグ付き封緘シールを貼り付けた容器を開封する為、蓋部を開封する方向に回転すると、ＩＣタグ付き封緘シールの開封検知部が容易に破断し、開封したことが検知される。しかし、アンテナとＩＣチップはダメージを受けず、正常である為、破断後も通信可能である。また、ＩＣタグ付き封緘シールの大部分を占める蓋貼付部と本体貼付部は、強固に容器に接着されており、境界貼付部が極く小さな部分となる。その為、意図せずに破断する虞が無い。
【００１７】
また、本発明の容器によれば、本発明のＩＣタグ付き封緘シールを貼り付けた容器である為、容器の蓋を開封する事によりＩＣタグ付き封緘シールが破断後も通信可能であり、また、意図せずにＩＣタグ付き封緘シールを破断する虞も無い
【図面の簡単な説明】
【００１８】
【図１】本発明のＩＣタグ付き封緘シールを例示する上面説明図。
【図２】本発明のＩＣタグ付き封緘シールを貼付した容器を例示する俯瞰説明図。
【図３】本発明のＩＣタグ付き封緘シールを貼付した容器におけるＩＣタグ付き封緘シールの状態を例示する写真であって、（ａ）は蓋が開封されておらず、正常な状態のＩＣタグ付き封緘シールを示している。（ｂ）は蓋が半時計回りの方向に回転した状態であり、蓋の回転に伴ってＩＣタグ付き封緘シールの境界貼付部付近で破断した状態を示している。
【発明を実施するための形態】
【００１９】
＜ＩＣタグ付き封緘シール＞
本発明のＩＣタグ付き封緘シールを、図１と図２を用いて説明する。
本発明のＩＣタグ付き封緘シール１０は、本体容器部３と、本体容器部３の開口部をねじ締め式に封止開封を可能とする蓋部１と、本体容器部３と蓋部１の間に形成された不連続部または曲面からなる境界部２と、を備えた容器２０に貼付して、容器２０が開封された事を検知可能とするＩＣタグ付き封緘シール１０である。
【００２０】
ＩＣタグ付き封緘シール１０を容器２０に貼付する際には、粘着剤を使用すれば良い。粘着剤は、ＩＣタグ付き封緘シール１０側に備えられ、その上から離型フィルムが配置された構成としても良いし、容器２０にＩＣタグ付き封緘シール１０を貼付する時点で、ＩＣタグ付き封緘シール１０の貼付面または容器２０の貼付部に塗布し、そこにＩＣタグ付き封緘シール１０を貼付する事でも良い。
【００２１】
本発明のＩＣタグ付き封緘シール１０は、ＩＣタグと、封緘シールとなる基材４と、を備えている。
【００２２】
ＩＣタグは、開封された事を検知する断線検知部５と、外部装置との無線通信を可能とするアンテナ７と、少なくとも、断線検知部５からの信号に基づき開封した事を検知する機能と、アンテナ７を介して外部装置との無線通信を行う機能と、を備えたＩＣチップ６と、を備えている。ＩＣタグは、基材４とは別の基材フィルムなどに形成されたものであっても構わない。その場合は、基材４に、ＩＣタグが備えられた基材フィルムなどを貼り合わせれば良い。
【００２３】
基材４は、容器２０の蓋部１に貼付される蓋貼付部１１と、本体容器部３に貼付される本体貼付部１３と、境界部２に貼付または配置される境界貼付部１２と、を備えている。蓋貼付部１１と本体貼付部１３は、確実に、それぞれ容器２０の蓋部１と本体容器部３に貼付される。しかしながら、境界貼付部１２は、容器２０の境界部２に配置される。境界部２は、容器２０の蓋部１と本体容器部３の間に位置する部分であり、連続して繋がった平面を構成している場合もあるが、段差や空間からなる不連続部であったり、立体的な曲面を形成していたりする可能性もある。その為、境界貼付部１２を下地の境界部２に貼付可能な時には貼付し、貼付できない時は、境界貼付部１２を空間に浮かせた状態で配置すれば良い。この様な場合であっても、境界貼付部１２は、前後にある蓋貼付部１１と本体貼付部１３と連続したＩＣタグ付き封緘シール１０として一体となっており、しっかりと固定されている。
【００２４】
また、本発明のＩＣタグ付き封緘シール１０においては、蓋貼付部１１と本体貼付部１３の幅が、境界貼付部１２の幅より広くなっている。これは、境界貼付部１２の機械的な強度を、蓋貼付部１１と本体貼付部１３を弱くする為である。境界貼付部１２の機械的な強度を弱くする事により、容器２０の蓋部１を回転させ、開封しようとした時に、ＩＣタグ付き封緘シール１０の境界貼付部１２を中心に力が加わる。その時に、ＩＣタグ付き封緘シール１０がよりスムーズに、より弱い力で、破断されるようにする為である。
【００２５】
また、基材４には、蓋部１を回転した時に、該基材４を容易に破断可能とする破断容易線８が備えられている。その破断容易線８は、切欠きと切込みの何れか一方かまたは両方であっても良い。
これを備える理由は、上述した、蓋貼付部１１と本体貼付部１３の幅が、境界貼付部１２の幅より広くなっている理由と同じである。即ち、容器２０の蓋部１を回転させ、開封しようとした時に、より容易にＩＣタグ付き封緘シール１０が破断される様にする為である。
【００２６】
以上で説明した様に、本発明のＩＣタグ付き封緘シール１０は、蓋貼付部１１、境界貼付部１２、本体貼付部１３とから構成され、境界貼付部１２の幅は、蓋貼付部１１、本体貼付部１３より小さく構成されるため、蓋部１側、境界部２、本体容器部３側の貼付面が、段差や空間などの不連続な面を構成していている場合、或いは、立体的な曲面が形成されていている場合、であったとしても、蓋部１側では、蓋貼付部１１がその貼付面に対して十分な貼付状態を確保し、本体容器部３側では、本体貼付部１３がその貼付面に対して十分な貼付状態を確保する事ができる。その為、境界貼付部１２においては、必ずしも容器２０の境界部２の貼付面に対して十分な貼付状態を確保できていなくても、蓋部１側の貼付面と本体容器部３側の貼付面との不連続性などによりＩＣタグ付き封緘シール１０の容器２０への貼付状態が不安定になる事は無い。例えば、容器２０の境界部２が空間であって、ＩＣタグ付き封緘シール１０の境界貼付部１２が境界部２に貼付できない場合であっても、蓋貼付部１１と蓋部１の貼付状態および本体貼付部１３と本体容器部３の貼付状態が十分な強度を備えている為、貼付状態が不安定になる事は無い。
【００２７】
また、蓋貼付部１１と本体貼付部１３は、それぞれの容器２０に対して十分な接着強度で貼付される。そのため、蓋貼付部１１と本体貼付部１３に形成されている切り欠き・スリットなどの破断容易線８は、通常の容器２０の取り扱い時の外力で不用意に破断に至る虞はない。また、境界貼付部１２は、蓋貼付部１１と本体貼付部１３によって安定して強固に支持されている。そのため、境界貼付部１２に形成されている切り欠き・スリットなどの破断容易線８は、通常の容器２０の取り扱い時の外力で不用意に破断に至る虞はない。
【００２８】
（基材）
基材４は、ＩＣタグ付き封緘シール１０の封緘シールとなる部材である。基材４として使用可能な材料は、ＩＣタグ（ＩＣチップ６に、断線検知部５とアンテナ７が電気的に接続された電子装置）がＲＦＩＤのリーダライタなどの外部装置と無線通信可能となる材料であれば特に限定されない。例えば、金属などの高い導電性を持つ材料や、電波や磁束を使用した無線通信を阻害する材料（例えば、高透磁率材料）以外の材料であれば良い。例えば、各種の電気絶縁性が良好な樹脂を好適に使用する事ができる。また、基材４は、ＩＣタグの基材と兼ねていても良い。基材４としては、例えば、塗工紙や合成紙などを好適に使用する事ができる。
【００２９】
（ＩＣチップ）
ＩＣチップ６は、少なくとも、断線検知部５とアンテナ７を電気的に接続する端子を備え、断線検知部５の状態に基づいて、断線検知部５が断線しているのか、断線していないのか、を判定する機能と、アンテナ７を介して外部装置と無線通信する機能と、を備えているＲＦＩＤ用のＩＣチップであれば、特に限定する必要は無い。例えば、ＮＸＰ  Ｓｅｍｉｃｏｎｄｕｃｔｏｒｓ社のＮＴＡＧ２１３ＴＴを好適に使用することができる。
【００３０】
（アンテナ）
アンテナ７の材料や巻き数などの形態は、使用する周波数帯などにより決定すれば良い。例えば、アンテナ７に求められる電気抵抗値が大きくても良い場合には、金属粉などを用いて作製した導電性インキを印刷した印刷アンテナを使用する事ができる。アンテナ７に求められる電気抵抗値が小さい場合には、導電性インキを印刷する事により形成するタイプのアンテナは不適当であり、銅やアルミニウムなどの絶縁導線からなる巻線アンテナや、銅箔やアルミ箔などの金属箔を樹脂シートや樹脂フィルムと貼り合わせた材料の金属箔をフォトリソグラフィ法によりエッチング加工する事で形成可能な各種のアンテナを採用すれば良い。
【００３１】
（断線検知部）
断線検知部５は、ＩＣチップ６の一対の電極端子に接続された１本の配線であれば良い。１本の配線には、２つの端部があり、それら２つの端部がＩＣチップ６の一対の電極端子に接続された構成であれば良い。１本の配線としては、例えば、基材４上に形成された銅箔パターンからなる配線でも良いし、銅箔パターンの様な低い電気抵抗値ではなく、炭素の粒子を使用したカーボンインキの様な比較的に電気抵抗値が高い導電性インキを基材４上に印刷し、配線としたものであっても良い。いずれの場合も、断線した場合には、テスターによる測定で、無限大を示すが、断線していない状態では、同様の測定で、ほぼ電気抵抗値が０か、もしくは無限大と比べて小さい電気抵抗値となる事で、断線検知部５が断線したかどうかを判定する事ができる。
【００３２】
（破断容易線）
破断容易線８は、基材４の端部から基材４の内側に向かって形成された切欠きや切込みなどである。破断容易線８は、ＩＣタグ付き封緘シール１０を、それを形成する事で容易に破断できる手段であれば特に限定する必要は無い。例えば、基材４の端部から基材４の内側に向かって形成されたハーフカットであっても良い。
【００３３】
＜容器＞
本発明の容器を、図１と図２を用いて説明する。
本発明の容器２０は、本体容器部３と、本体容器部３の開口部（図示省略）をねじ締め式に封止開封を可能とする蓋部１と、本体容器部３と蓋部１の間に形成された不連続部または段差または曲面からなる境界部２と、を備えた容器の蓋部１と境界部２と本体容器部３に跨って、本発明のＩＣタグ付き封緘シール１０が貼付された容器である（図２参照）。
【００３４】
本発明の容器２０においては、ＩＣタグ付き封緘シール１０の、蓋貼付部１１と、境界貼付部１２と、本体貼付部１３とが、容器２０の、蓋部１と、境界部２と、本体容器部とに、対応して貼付されている。
【００３５】
即ち、容器２０の蓋部１には、ＩＣタグ付き封緘シール１０の蓋貼付部１１が貼付されている。また、容器２０の境界部２には、ＩＣタグ付き封緘シール１０の境界貼付部１２が貼付されている。容器２０の本体容器部３には、ＩＣタグ付き封緘シール１０の本体貼付部１３が貼付されている。
【００３６】
この様に、本発明の容器２の境界部２には、本発明のＩＣタグ付き封緘シール１０の境界貼付部１２が貼付されている。
【００３７】
本発明の容器２０を開封するには、ねじ締め式に封止開封を可能とする蓋部１を開封する方向に回す。通常は、反時計回りの方向に回す事により、蓋部１を開封する事ができる。蓋部１を反時計回りの方向に回す時に、容器２０に貼付されていたＩＣタグ付き封緘シール１０が破断する。
【００３８】
図３は、図２に示した容器２０と類似した容器に、図２と同様に本発明のＩＣタグ付き封緘シール１０を貼付した例を示した写真である。図３の図中の各部に付した番号は、図２と同じ番号を使用した。
【００３９】
図３（ａ）は、容器２０の蓋部１にＩＣタグ付き封緘シール１０の蓋貼付部１１を、容器２０の境界部２にＩＣタグ付き封緘シール１０の境界貼付部１２を、容器２０の本体容器部３にＩＣタグ付き封緘シール１０の本体貼付部１３を、それぞれ貼付した状態の撮影した写真である。写真から分かる様に、この例では、容器２０の蓋部１が、容器２０の本体容器部３より低くなっており、境界部２に段差が形成されている場合を例示したものである。境界部２においてＩＣタグ付き封緘シール１０の境界貼付部１２は容器２０の境界部２に貼付され、固定されている状態である。また、境界貼付部１２は、その両側を蓋貼付部１１と本体貼付部１３により支持されて固定されている為、ＩＣタグ付き封緘シール１０の境界貼付部１２を意図せずに破断する虞が無い。なお、この例では、切欠きや切込みなどの破断容易線は形成されていない。
【００４０】
図３（ｂ）は、図３（ａ）の状態において、容器２０の蓋部１を半時計回りの方向に４５°程度回転させた後の状態を撮影した写真であり、その結果、ＩＣタグ付き封緘シール１０の境界貼付部１２付近において破断している。
【符号の説明】
【００４１】
１・・・蓋部
２・・・境界部
３・・・本体容器部
４・・・基材
５・・・断線検知部
６・・・ＩＣチップ
７・・・アンテナ
８・・・破断容易線
１０・・・ＩＣタグ付き封緘シール
１１・・・蓋貼付部
１２・・・境界貼付部
１３・・・本体貼付部
２０・・・容器
【図１】
2022000677.tif 000003
【図２】
2022000677.tif 000004
【図３】
2022000677.tif 000005